(57)【要約】  【課題】  原稿が原稿ガラス上に置き忘れられた場合に、その原稿を第三者が取り出すことができないよう保持し、取り出しを許可された者のみがその原稿取り出すことの出来る原稿読取装置を提供する。  【解決手段】  原稿ガラス上に載置された原稿を押圧する開閉自在な原稿カバーと、前記原稿カバーに押圧された原稿の画像情報を読み取る画像読取手段５を備えてなる原稿読取装置であって、前記画像読取手段５による読み取り終了後の原稿の取出しを禁止する原稿保持手段７０と、特定の操作者を識別する操作者識別手段８０と、前記操作者識別手段８０により識別された特定の操作者に対してのみ前記原稿保持手段７０による原稿の保持状態を解除する原稿保持解除手段７５を備えて構成される。  【選択図】  図３
2005340894.tif 000002
【特許請求の範囲】
【請求項１】
原稿ガラス上に載置された原稿を押圧する開閉自在な原稿カバーと、前記原稿カバーに押圧された原稿の画像情報を読み取る画像読取手段を備えてなる原稿読取装置であって、
前記画像読取手段による読み取り終了後の原稿の取出しを禁止する原稿保持手段と、特定の操作者を識別する操作者識別手段と、前記操作者識別手段により識別された特定の操作者に対してのみ前記原稿保持手段による原稿の保持状態を解除する原稿保持解除手段を設けてある原稿読取装置。
【請求項２】
前記原稿保持手段は、前記原稿カバーの開放を阻止するロック機構で構成されている請求項１記載の原稿読取装置。
【請求項３】
前記原稿保持手段による原稿保持中に、前記画像読取手段による原稿読取動作を禁止する読取禁止手段を設けてある請求項２記載の原稿読取装置。
【請求項４】
前記原稿保持手段は、前記原稿を収容する原稿収容部と、前記原稿収容部をロックするロック機構と、前記原稿ガラス上の原稿を前記原稿収容部に移送する原稿移送手段とを備えて構成されている請求項１記載の原稿読取装置。
【請求項５】
前記原稿保持手段は、前記画像読取手段により読み取られた原稿の画像情報を記憶する記憶手段と、前記記憶手段に記憶した後に前記原稿を破砕する原稿破砕機構とを備えて構成されている請求項１記載の原稿読取装置。
【請求項６】
前記原稿保持手段は、前記画像読取手段による原稿の読み取りが終了した後の所定時間内に前記原稿カバーが開放されないときに作動する請求項１から５の何れかに記載の原稿読取装置。
【請求項７】
前記原稿保持手段の作動を報知する報知手段を備えて構成されている請求項１から６の何れかに記載の原稿読取装置。
【発明の詳細な説明】
【技術分野】
【０００１】
本発明は、原稿ガラス上に載置された原稿を押圧する開閉自在な原稿カバーと、前記原稿カバーに押圧された原稿の画像情報を読み取る画像読取手段を備えてなる原稿読取装置に関し、詳述すると、原稿読取後に原稿載置台に残された原稿を第三者に不正に見られることなくセキュアな状態で保管し、許可された者のみが取り出すことの出来る原稿読取装置に関する。
【背景技術】
【０００２】
従来、操作者による各種媒体の取り出しを必要とする機器から前記媒体の取り出しを喚起誘導する媒体取り忘れ防止喚起誘導装置において、前記操作者の位置と動きを検出する操作者位置検出手段と、前記機器からの取り出しを必要とする前記媒体の前記機器内での残留の有無を検出する媒体検出手段と、前記操作者に所定の警告音声を報知出力する警告音声報知手段と、前記操作者位置検出手段と、前記操作者位置検出手段の検出結果から前記操作者の前記機器からの立ち去り動作を判別して、前記媒体検出手段が前記媒体が前記機器内に残留していることを検出していると、前記警告音声報知手段から前記警告音声を報知出力させる制御手段を備えた媒体取り忘れ防止喚起誘導装置が提案されている。
【０００３】
上述の媒体取り忘れ防止喚起誘導装置は、操作者による各種媒体の取り出しを必要とする機器の操作者の位置と動きを操作者位置検出手段で検出し、操作者の機器からの立ち去り動作を判別した際に、媒体が機器内に残留していることを媒体検出手段が検出していると、警告音声報知手段を駆動させて操作者に所定の警告音声を報知出力することができ、必要最低限の警告を行って、周囲の人に対して、周囲の人に対して迷惑をかけたり、不快感を与えることなく、確実に媒体の取り忘れを防止することができるものである。
【０００４】
また、画像形成装置本体の原稿載置台に原稿を搬送し、原稿の複写後、この原稿を排出する原稿搬送手段を有した原稿自動搬送装置を画像形成装置本体に開閉自在に設け、原稿載置台に手動で原稿を載置した時に原稿自動搬送装置を閉じることにより当該原稿を固定する画像形成装置において、上記原稿載置台に手動で原稿を配置し、上記原稿自動搬送装置を閉じて該原稿を固定し複写を行った後から所定時間経過後に上記原稿搬送手段を駆動し原稿載置台上の原稿を排出するよう制御する制御手段を設けた画像形成装置が提案されている。
【０００５】
上述の画像形成装置は、原稿載置台に手動で原稿を配置し、原稿自動搬送装置を閉じて該原稿を固定し複写を行った後から所定時間経過後に上記原稿搬送手段を駆動し原稿載置台上の原稿を排出するよう制御しているので、原稿載置台上への原稿の置き忘れを防止することができるとともに、複写不良により再度複写を行う場合に不必要な原稿載置台からの原稿の排出を確実に防止することができ、再複写時の煩雑な作業を軽減することができるものである。
【特許文献１】特開２００１−２０２５５１号公報
【特許文献２】特開２０００−２１４６４２号公報
【発明の開示】
【発明が解決しようとする課題】
【０００６】
しかし、上述した特許文献１に記載された従来技術では、媒体が取り忘れられた場合でも警告を発生させることで媒体の取り忘れを防止することができるが、操作者が警告に気付かず又はそれを無視せざるを得ない事情がある場合に、取り残された媒体は第三者から何ら保護されないという問題があった。
【０００７】
また、上述した特許文献２に記載された従来技術では、原稿が原稿載置台に置き忘れられた場合に原稿搬送手段が駆動され原稿載置台上の原稿が排出され、原稿の置き忘れを防止することができるが、同様に、排出された原稿が取り残された場合には、原稿は第三者からなんら保護されないという問題があった。
【０００８】
本発明は、上述の従来欠点に鑑み、原稿が原稿ガラス上に置き忘れられた場合に、その原稿を第三者が取り出すことができないよう保持し、取り出しを許可された者のみがその原稿取り出すことの出来る原稿読取装置を提供する点にある。
【課題を解決するための手段】
【０００９】
上述の目的を達成するため、本発明による原稿読取装置の第一の特徴構成は、特許請求の範囲の書類の請求項１に記載した通り、原稿ガラス上に載置された原稿を押圧する開閉自在な原稿カバーと、前記原稿カバーに押圧された原稿の画像情報を読み取る画像読取手段を備えてなる原稿読取装置であって、前記画像読取手段による読み取り終了後の原稿の取出しを禁止する原稿保持手段と、特定の操作者を識別する操作者識別手段と、前記操作者識別手段により識別された特定の操作者に対してのみ前記原稿保持手段による原稿の保持状態を解除する原稿保持解除手段を設けて構成される点にある。
【００１０】
上述の構成によれば、原稿が原稿ガラス上に置き忘れられたとしても原稿保持手段により原稿の取り出しは禁止され、操作者識別手段により特定された操作者のみ原稿保持解除手段により原稿の保持状態を解除し、原稿を取り出すことができるので、第三者が不正に原稿を取り出すことが出来ず、置き忘れた原稿でもセキュアな状態を保つ事が出来る。
【００１１】
同第二の特徴構成は、同請求項２に記載した通り、上述の第一特徴構成に加えて、前記原稿保持手段は、前記原稿カバーの開放を阻止するロック機構で構成される点にある。
【００１２】
上述の構成によれば、ロック機構が作動し原稿カバーの開放が阻止されることで、原稿ガラス上の原稿は取り出すことが出来ず、セキュアに保持される。
【００１３】
同第三の特徴構成は、同請求項３に記載した通り、上述の第二特徴構成に加えて、前記原稿保持手段による原稿保持中に、前記画像読取手段による原稿読取動作を禁止する読取禁止手段を設けて構成される点にある。
【００１４】
上述の構成によれば、原稿保持手段による原稿保持中に、画像読取手段による原稿読取動作を禁止することで、第三者が保持された原稿を複写し出力することで、不正に原稿を手に入れることを防止することができるのである。
【００１５】
同第四の特徴構成は、同請求項４に記載した通り、上述の第一特徴構成に加えて、前記原稿保持手段は、前記原稿を収容する原稿収容部と、前記原稿収容部をロックするロック機構と、前記原稿ガラス上の原稿を前記原稿収容部に移送する原稿移送手段とを備えて構成される点にある。
【００１６】
上述の構成によれば、原稿ガラス上に置き忘れられた原稿は、原稿保持手段により原稿収容部に収容され、さらに原稿収容部にはロック機構によりロックがなされることで、原稿は第三者により不正に手に入れることが回避できるものであり、さらに、原稿が収容部に収容された後には、第三者が当該原稿読取装置を使用することが可能になるのである。
【００１７】
同第五の特徴構成は、同請求項５に記載した通り、上述の第一特徴構成に加えて、前記原稿保持手段は、前記画像読取手段により読み取られた原稿の画像情報を記憶する記憶手段と、前記記憶手段に記憶した後に前記原稿を破砕する原稿破砕機構とを備えて構成される点にある。
【００１８】
上述の構成によれば、原稿ガラス上に置き忘れられた原稿は、画像情報が記憶手段に記憶された後に、原稿破砕機構により原稿が破砕されるので、原稿は第三者により不正に手に入れることができなくなる。しかし、原稿は画像情報として記憶手段に保管されるので必要に応じて取り出すことが出来るのである。この場合にも、原稿が破砕処理された後には、第三者が当該原稿読取装置を使用することが可能になるのである。
【００１９】
同第六の特徴構成は、同請求項６に記載した通り、上述の第一から第五の特徴構成の何れかに加えて、前記原稿保持手段は、前記画像読取手段による原稿の読み取りが終了した後の所定時間内に前記原稿カバーが開放されないときに作動するよう構成される点にある。
【００２０】
上述の構成によれば、原稿保持手段は、原稿の読み取りが終了した後の所定時間内に前記原稿カバーが開放されないときに作動するので、当該操作者は容易に自分の原稿を取り出すことができ、仮に取り忘れられた場合であっても所定時間後に原稿保持手段により安全に保持されるのである。
【００２１】
同第七の特徴構成は、同請求項７に記載した通り、上述の第一から第六の特徴構成の何れかに加えて前記原稿保持手段の作動を報知する報知手段を備えて構成される点にある。
【００２２】
上述の構成によれば、報知手段により原稿の持ち主である操作者又は画像形成装置の管理者は操作者が原稿を置き忘れたことに気付くことが出来るのである。
【発明の効果】
【００２３】
以上説明した通り、本発明によれば、原稿が原稿ガラス上に置き忘れられた場合に、その原稿を第三者が取り出すことができないよう保持し、取り出しを許可された者のみがその原稿取り出すことの出来る原稿読取装置を提供することができるようになった。
【発明を実施するための最良の形態】
【００２４】
以下、本発明による原稿読取装置が画像形成装置としてのデジタル方式の複写機に搭載された場合について説明する。図２に示すように、複写機は、画像形成装置１００と画像形成装置１００の上部に載置された原稿読取装置２００とで構成してある。
【００２５】
前記画像形成装置１００は、感光体１０の回転方向に沿って帯電チャージャ１１、露光ヘッド１２、現像器１３、クリーナ１４、イレーサランプ１５を配置して、画像データに基づいて駆動される露光ヘッド１２により形成された静電潜像が現像器１３でトナー像に顕像化される画像形成部１と、夫々異なるサイズの記録紙２０が収容されたカセット２１から適切なサイズの記録紙２０を給紙する給紙ローラ２２と、給紙された記録紙２０を感光体１０の転写領域に搬送する搬送ベルト２３と、トナー像が転写された記録紙２０を定着部３０に搬送して排紙トレイ２４または再給紙部２５に搬送する複数の搬送ローラ対２６などを備えた搬送部２等を備えて構成してある。
【００２６】
前記原稿読取装置２００は、原稿搬送手段４と、画像読取手段５と、操作部（図示せず）で構成され、画像読取手段５は、図１に示すように、原稿ガラス５０、５１と原稿ガラス５０、５１上の原稿を読取るＣＣＤイメージセンサを備えた撮像部５２と、原稿画像を撮像部５２に合焦させる光学系５３と、原稿ガラス５１上の原稿の有無を検出する原稿検知センサ５４等を備えて構成し、原稿搬送手段４は、原稿ガラス５０，５１に対して上下に揺動開閉自在な原稿カバー４０に配置された原稿トレイ４１と、原稿トレイ４１に載置された原稿を一枚ずつ原稿ガラス５０上に搬送する第一原稿搬送機構４２を備えて構成し、操作部は、複写機の各種の動作モードの設定や複写動作を起動するプリントキー等の入力キーと設定された状態を示す表示部等を備えて構成してある。
【００２７】
前記光学系５３は、原稿読取位置に給送された原稿を照明する光源としてのランプ５３０と、原稿からの反射光を取り込む第一ミラー５３１と、第二ミラー５３２と、第三ミラー５３３と、前記第三ミラー５３３からの光線束を撮像部５２に合焦させるレンズ５３４とからなるミラー走査型の光学系で、原稿載置用の原稿ガラス５１に原稿が載置されるときには、ランプ５３０、ミラー５３１、５３２、５３３が図中実線で示された位置から一点鎖線で示された位置まで走査（副走査）して原稿の画像情報を読取るミラー走査モードと、第一搬送機構４２により原稿が搬送されるときには、ランプ５３０、ミラー５３１、５３２、５３３が図中実線で示された位置に固定され、搬送（副走査）される原稿の画像情報を読取るシートスルーモードに切替可能に構成してある。
【００２８】
上述の複写機は、複数のマイクロコンピュータ、及び、それらの実行プログラムが格納された複数のＲＯＭ、プログラムの実行に際して必要な演算処理等を行なうＲＡＭ、複写機を駆動するモータや各種のクラッチやソレノイド、さらには定着部３０のヒータ等の各種の負荷を制御する駆動回路や、スイッチ、ペーパーセンサや温度センサ等の各種の信号を入力するバッファ回路等を備えた複数の制御回路基板を備えて所定の複写動作が実行されるように構成してある。
【００２９】
それらを機能ブロックに基づいて説明すると、図３に示すように、前記原稿搬送手段４及び画像読取手段５の各種の負荷が接続され、主に前記原稿読取装置２００を制御して原稿画像を読み取る原稿読取制御部２００Ａと、前記画像形成部１及び搬送部２や定着部３０の各種の負荷が接続され、主に前記画像形成装置１００を制御して記録紙に画像を形成出力する画像出力制御部１００Ａと、外部機器との間でデータの送受を行なうネットワークインターフェース部を設けて構成してあり、画像読取手段５により読み取られた原稿画像データが所定のタイミングで露光ヘッド１２に出力されることにより感光体１０上に原稿画像に対応した画像が形成される。
【００３０】
上述した複写機でミラースキャンモードにより原稿画像を読み取る際には、操作者が原稿カバー４０を開放して原稿ガラス５１の所定位置に原稿を載置した後に原稿カバー４０を閉めて原稿を原稿ガラス５１に押圧し、図外の操作部のプリントキーを操作するのであるが、複写動作の終了後に載置した原稿を取り忘れることがある。放置された原稿が第三者の入手するところとなると重要な情報が漏洩する虞がある。
【００３１】
そこで、画像読取手段５による読み取り終了後の原稿の取出しを禁止する原稿保持手段７０と、特定の操作者を識別する操作者識別手段８０と、前記操作者識別手段８０により識別された特定の操作者に対してのみ前記原稿保持手段７０による原稿の保持状態を解除する原稿保持解除手段７５を設けてある。
【００３２】
前記操作者識別手段８０は、前記操作部に設けられた指紋入力スキャナと、予め操作者の指紋データを記憶している指紋データ記憶手段と、前記指紋入力スキャナから入力された指紋データと前記指紋データ記憶手段に記憶された指紋データとを照合し、操作者を特定する照合手段とを備えて構成される。
【００３３】
前記原稿保持手段７０は、前記原稿カバー４０の開放を阻止するロック機構５５で構成されている。前記ロック機構５５は、前記原稿カバー４０の下面側に設けられた係止孔と、前記画像読取手段５のカバー上面側に出退自在に設けられた係止爪とを備えて構成され、前記係止爪に備えられたソレノイドを駆動し係止爪を係止孔に進入させ係合させることで前記原稿カバー４０をロックし、ソレノイドの駆動を停止させることで引退方向にバネ付勢される係止爪が係止孔から退出して係合を解くことで前記カバー４０のロックを解除する。前記原稿保持手段は、前記画像読取手段による原稿の読み取りが終了した後の所定時間内、例えば、オートリセット機能の作動時間として設定されてある３０秒乃至１分経過した後に、前記原稿カバー４０が開放されないときに作動する。
【００３４】
前記原稿保持解除手段７５は、前記原稿保持手段７０の作動中に前記操作者識別手段８０により操作者が認識されると、前記原稿保持手段７０に作動の解除指令を出し、保持された原稿の取出しを許容する。
【００３５】
前記原稿読取制御部２００Ａには、前記原稿保持手段７０による原稿保持中に、保持中の原稿が複写されることが無いように、前記画像読取手段５によるミラースキャンモードでの原稿読取動作を禁止する読取禁止手段９０を設けてある。ここで、前記読取禁止手段９０は、保持された原稿以外の複写動作が可能になるように、シートスルーモードでの原稿読取動作については許容する。
【００３６】
さらに、前記原稿保持手段の作動を報知する報知手段９５を設けてあり、前記操作部に前記原稿保持手段７０が作動された旨を表示するように構成してある。前記報知手段９５には、さらに予め指紋データにリンクして登録されているメールアドレスに基づいて当該原稿の所有者である操作者及び管理者に対して前記原稿保持手段７０が作動された旨の電子メールをネットワークインターフェース部を介して送信するメール処理手段を備えてあり、迅速に対処されるように、何れか一方の手段又は両方の手段を作動させる。
【００３７】
図４に基づいて前記原稿保持手段７０及び前記原稿保持解除手段７５の動作を説明する。前記操作者識別手段８０により操作者の認識がされた状態でのコピー動作が終了すると（Ｓ１）、終了直後に時間のカウントが開始される（Ｓ２）。
【００３８】
前記原稿カバー４０は、その背面側に前記カバー４０を開閉自在に揺動支持するヒンジ機構を介して前記画像読取手段５側のフレームに取り付けられており、前記原稿カバー４０には、前記ヒンジ機構によるカバーの開閉を検知する原稿カバー開閉検知センサとしてのフォトセンサを設けてある。所定時間内に前記原稿カバー開閉検知センサにより前記原稿カバー４０が開かれたことが検知されると、原稿は取り出されたと判断される（Ｓ３）。原稿カバーが開かれないまま（Ｓ３）、所定時間内が経過すると（Ｓ４）、原稿が置き忘れられたと判断され前記原稿保持手段７０が作動し前記原稿カバー４０がロックされる（Ｓ５）。
【００３９】
前記原稿カバー４０のロック中には、前記読取禁止手段９０によりミラースキャンモードでの原稿の読取が禁止される。このことにより、原稿がコピーされ第三者に原稿が入手されることを防止するのである。
【００４０】
前記原稿カバー４０がロックされると、前記報知手段９５により管理者及び操作者に通報される（Ｓ７）。操作者のみならず管理者にも通報するのは、何らかの事情により操作者が対応できない場合に管理者が対応することで事態の迅速な解決につながるからである。
【００４１】
通報等により原稿の取り忘れに気付いた操作者又は管理者により、前記操作者識別手段８０に指紋が入力され、コピー開始時に認識された操作者又は管理者であると認証されると（Ｓ８）、前記原稿カバー４０のロックは解除され、原稿が取り出される（Ｓ９）。操作者又は管理者による指紋認証がなされない場合前記原稿カバー４０はロックされコピーが禁止されたまま待機状態となる。
【００４２】
以下に別実施形態を説明する。上述した実施形態では、前記原稿保持手段７０は、前記原稿カバー４０の開放を阻止するロック機構５５で構成されていたが、前記原稿保持手段７０ａは、前記原稿を収容する原稿収容部６０と、前記原稿収容部６０をロックするロック機構６３と、前記原稿ガラス５１上の原稿を前記原稿収容部６０に移送する原稿移送手段とを備えて構成しても良い。
【００４３】
以下に詳述すると、図１及び図５に示すように、原稿ガラス５１に載置された原稿を原稿収容部６０に搬送する第二搬送機構４３を備えてあり、前記原稿収容部６０は、原稿を収容する原稿収容ボックス６１と、前記原稿収容ボックス６１の側面に備えられた開閉可能なボックスカバー６２とを備えて構成され、前記第二搬送機構により搬送された原稿を保管する。
【００４４】
前記ロック機構６３は前記ボックスカバー６２に設けられた係止孔と、原稿収容ボックス６１に設けられた係止爪とを備えて構成され、前記係止爪に備えられたソレノイドを駆動し係止爪を係止孔に進入させ係合させることで前記ボックスカバー６２をロックし、ソレノイドの駆動を停止させることで係止爪を係止孔から退出させ係合を解くことで前記ボックスカバー６２のロックを解除する。
【００４５】
前記原稿移送手段としての前記第二搬送機構４３は、前記原稿ガラス５１上の原稿を前記原稿収容部６０に移送するもので、前記画像読取手段による原稿の読み取りが終了した後の所定時間内、例えば、オートリセット機能の作動時間として設定されてある３０秒乃至１分経過後に、前記原稿カバー４０が開放されないときに作動する。
【００４６】
図６に基づいて、前記原稿保持手段７０ａ及び前記原稿保持手段７０ａに作動の解除指令を出す前記原稿保持解除手段７５ａの動作を説明する。前記操作者識別手段８０により操作者の認識がされた状態でのコピー動作が終了すると（Ｓ１）、終了直後に時間のカウントが開始される（Ｓ２）。
【００４７】
所定時間内に前記原稿カバー開閉検知センサにより前記原稿カバー４０が開かれたことが検知されると、原稿は取り出されたと判断される（Ｓ３）。原稿カバーが開かれないまま（Ｓ３）、所定時間内が経過すると（Ｓ４）、原稿が置き忘れられたと判断され前記原稿保持手段７０ａが作動し前記原稿移送手段により原稿は前記原稿収容ボックス６１に移送され、同時に前記ボックスカバー６２がロックされる（Ｓ５）。
【００４８】
原稿が前記原稿収容部６０に移送されると、前記報知手段９５により管理者及び操作者に通報される（Ｓ６）。
【００４９】
通報等により原稿の取り忘れに気付いた操作者又は管理者により、前記操作者識別手段８０に指紋が入力され、コピー開始時に認識された操作者又は管理者であると認証されると（Ｓ７）、前記ボックスカバー６０のロックは解除され、原稿が取り出される（Ｓ８）。操作者又は管理者による指紋認証がなされない場合前記ボックスカバー６０はロックされたまま待機状態となる。
【００５０】
上述した実施形態では、前記原稿保持手段７０は、前記原稿カバー４０の開放を阻止するロック機構５５で構成されていたが、前記原稿保持手段７０ｂは、前記画像読取手段５により読み取られた原稿の画像情報を記憶する記憶手段７１ｂと、前記記憶手段７１ｂに記憶した後に前記原稿を破砕する原稿破砕機構７２ｂとを備えて構成しても良い。
【００５１】
以下に詳述すると、図７に示すように前記原稿破砕機構７２ｂは、原稿を読み取りが不可能な状態に破砕するシュレッダー７３ｂと、破砕された原稿を一時的に保管するダストボックス７４ｂとを備えて構成される。
【００５２】
図８に基づいて前記原稿保持手段７０ｂの動作を説明する。前記操作者識別手段８０により操作者の認識がされた状態でのコピー動作が終了すると（Ｓ１）、終了直後に時間のカウントが開始される（Ｓ２）。
【００５３】
所定時間内に前記原稿カバー開閉検知センサにより前記原稿カバー４０が開かれたことが検知されると、原稿は取り出されたと判断される（Ｓ３）。原稿カバーが開かれないまま（Ｓ３）、所定時間内が経過すると（Ｓ４）、原稿が置き忘れられたと判断され、原稿は前記画像読取手段５に読み取られ、読み取られた画像情報が前記記憶手段７１ｂに記憶された後、前記原稿破砕機構７２ｂにより破砕される（Ｓ５）。
【００５４】
原稿が前記原稿収容部６０に移送されると、前記報知手段９５により管理者及び操作者に通報される（Ｓ６）。
【００５５】
通報等により原稿の取り忘れに気付いた操作者又は管理者により、前記操作者識別手段８０に指紋が入力され、コピー開始時に認識された操作者又は管理者であると認証されると（Ｓ７）、前記記憶手段７１ｂに記憶された画像情報に基づいて前記画像形成装置１００が駆動され原稿が出力される（Ｓ８）。操作者又は管理者による指紋認証がなされない場合、前記記憶手段７１ｂに画像情報が記憶されたまま待機状態となる。
【００５６】
上述した実施形態では、前記原稿保持手段７０により前記原稿カバー４０をロックすることで置き忘れられた原稿を保持したが、図９に示すように、前記原稿カバー４０をロックし原稿を所定時間保持した後、その所定時間内に指紋による認証が無い場合に、前記原稿移送手段により原稿を前記原稿収容部６０に移送し、原稿を前記原稿収容部６０で保持するものでも良い。
【００５７】
上述した実施形態では、前記原稿保持手段７０により前記原稿カバー４０をロックすることで置き忘れられた原稿を保持したが、前記原稿カバー４０をロックし原稿を所定時間保持した後、その所定時間内に指紋による認証が無い場合に、原稿を前記画像読取手段５により原稿を読み取り、読み取られた画像情報を前記記憶手段７１ｂに記憶した後に前記原稿破砕機構７２ｂにより原稿を破砕するものでも良い。
【００５８】
上述した実施形態では、前記原稿保持手段７０による前記原稿カバー４０のロックのタイミングは、前記画像読取手段による原稿の読み取りが終了した後の所定時間内、例えば、オートリセット機能の作動時間として設定されてある１分後や３０秒後に、前記原稿カバー４０が開放されないときに作動するものであったがこれに限られるものではなく、前記原稿保持手段７０による前記原稿カバー４０のロックのタイミングは、操作者が前記操作部を介して自由に設定することができる。
【００５９】
上述した実施形態では認証方法として指紋データを利用するものであったが、指紋認証に限らず、虹彩、声紋、顔面、静脈等の認証によるバイオメトリクス認証、さらにはパスワード、ＩＣカードによる認証方法が採用されるものであってもよい。尚、未登録者は別途、管理者の管理下で新規登録する登録手段が設けられている。
【００６０】
上述した実施形態では、コピー動作が行われ、前記原稿カバー４０が開かれずに一定時間が経過すると操作者が原稿を置き忘れたものと判断され、前記原稿カバー４０のロックが開始されるものであったが、原稿検出センサにより原稿の置き忘れを判断するものであっても良い。
【００６１】
上述した実施形態では原稿読取装置の例として原稿読取装置が画像形成装置に搭載された場合について説明したが、原稿読取装置としては、スキャナ単独の装置、ＦＡＸに搭載された装置等でも適用可能である。
【図面の簡単な説明】
【００６２】
【図１】原稿読取装置の断面図
【図２】本実施形態における原稿読取装置が搭載された画像形成装置の断面図
【図３】制御部を説明するブロック構成図
【図４】フローチャート
【図５】別実施形態における原稿読取装置が搭載された画像形成装置の断面図
【図６】フローチャート
【図７】別実施形態における原稿読取装置が搭載された画像形成装置の断面図
【図８】フローチャート
【図９】フローチャート
【符号の説明】
【００６３】
５：画像読取手段
４０：原稿カバー
４３：第二搬送機構
５５：ロック機構
７０：原稿保持手段
７５：原稿保持解除手段
８０：操作者識別手段
９０：読取禁止手段
９５：報知手段
【図１】
2005340894.tif 000003
【図２】
2005340894.tif 000004
【図３】
2005340894.tif 000005
【図４】
2005340894.tif 000006
【図５】
2005340894.tif 000007
【図６】
2005340894.tif 000008
【図７】
2005340894.tif 000009
【図８】
2005340894.tif 000010
【図９】
2005340894.tif 000011